(57)【要約】【課題】作業者による視対象物の見やすさを向上させることができる照明装置等を提供する。【解決手段】作業者Ｐが作業する作業面１００ａを照明する照明器具１であって、作業面１００ａに作業用照明光１０Ｌを照射する第１光源部１０と、作業用照明光１０Ｌに重畳して作業面１００ａに刺激用照明光２０Ｌを照射する第２光源部２０とを備え、刺激用照明光２０Ｌが照射される作業面１００ａにおける第２照射領域２０Ａは、作業用照明光１０Ｌが照射される作業面１００ａにおける第１照射領域１０Ａに重畳し、かつ、第１照射領域１０Ａよりも小さい領域であり、刺激用照明光２０Ｌは、一定の時間間隔で作業面１００ａに照射される。【選択図】図２
2018032499.tif 000002
【特許請求の範囲】
【請求項１】
作業者が作業する作業面を照明する照明器具であって、
前記作業面に作業用照明光を照射する第１光源部と、
前記作業用照明光に重畳して前記作業面に刺激用照明光を照射する第２光源部とを備え、
前記刺激用照明光が照射される前記作業面における第２照射領域は、前記作業用照明光が照射される前記作業面における第１照射領域に重畳し、かつ、前記第１照射領域よりも小さい領域であり、
前記刺激用照明光は、一定の時間間隔で前記作業面に照射される
照明器具。
【請求項２】
前記第２照射領域は、前記第１照射領域内を移動する
請求項１記載の照明器具。
【請求項３】
前記刺激用照明光の出力は、前記作業者の年齢に応じて変更される
請求項１又は２に記載の照明器具。
【請求項４】
作業者が作業する作業面を照明する照明方法であって、
前記作業面において作業用照明光が照射される第１照射領域に重畳して前記第１照射領域よりも小さい第２照射領域で前記作業面に刺激用照明光を一定の時間間隔で照射する
照明方法。
【請求項５】
前記第２照射領域を前記第１照射領域内で移動させる
請求項４記載の照明方法。
【請求項６】
前記刺激用照明光の出力を前記作業者の年齢に応じて変更する
請求項４又は５に記載の照明方法。
【発明の詳細な説明】
【技術分野】
【０００１】
本発明は、照明器具及び照明方法に関する。
【背景技術】
【０００２】
オフィス又は住宅等では、照明環境下でさまざまな作業が行われる。照明環境下での作業としては、例えば書類等を読む視作業がある。この場合、作業者は、作業用照明によって照射された作業面で視作業を行う。
【０００３】
しかしながら、視機能が低下した作業者（特に高齢者）が視作業を行う場合、作業者が作業面内で焦点を合わせることが難しいことがある。このような場合、照明等による補助が必要になる。
【０００４】
そこで、従来、高齢者に対して作業性良好であり、かつ快適性の高い照明器具及び照明方法が提案されている（例えば、特許文献１）。
【先行技術文献】
【特許文献】
【０００５】
【特許文献１】特開２０００−４０４０７号公報
【発明の概要】
【発明が解決しようとする課題】
【０００６】
特許文献１に開示された技術によれば、作業面における照明の照度を作業面の周辺の照明の照度よりも高くすることで、作業者の作業効率及び快適性を追求している。
【０００７】
しかしながら、特許文献１に開示された技術では、作業者による視対象物の見やすさが十分であるとはいえない。
【０００８】
本発明は、このような課題を解決するためになされたものであり、作業者による視対象物の見やすさを向上させることができる照明装置及び照明方法を提供することを目的とする。
【課題を解決するための手段】
【０００９】
上記目的を達成するために、本発明に係る照明器具の一態様は、作業者が作業する作業面を照明する照明器具であって、前記作業面に作業用照明光を照射する第１光源部と、前記作業用照明光に重畳して前記作業面に刺激用照明光を照射する第２光源部とを備え、前記刺激用照明光が照射される前記作業面における第２照射領域は、前記作業用照明光が照射される前記作業面における第１照射領域に重畳し、かつ、前記第１照射領域よりも小さい領域であり、前記刺激用照明光は、一定の時間間隔で前記作業面に照射される。
【００１０】
また、本発明に係る照明方法の一態様は、作業者が作業する作業面を照明する照明方法であって、前記作業面において作業用照明光が照射される第１照射領域に重畳して前記第１照射領域よりも小さい第２照射領域で前記作業面に刺激用照明光を一定の時間間隔で照射する。
【発明の効果】
【００１１】
作業者による視対象物の見やすさを向上させることができる。特に、高齢者にとっての視対象物の見えを向上させることができる。
【図面の簡単な説明】
【００１２】
【図１】実施の形態１に係る照明器具を用いて作業者が作業を行うときの様子を示す図である。
【図２】実施の形態１に係る照明器具の照明光の照射領域を示す図である。
【図３】実施の形態１に係る照明器具の構成を模式的に示す図である。
【図４】実施の形態１に係る照明器具の点灯動作を説明するための図である。
【図５】指標の輝度に対する輝度対比を示す図である。
【図６】年齢に対する輝度対比弁別閾の比率を示す図である。
【図７】実施の形態２に係る照明器具の構成を模式的に示す図である。
【図８】実施の形態２に係る照明器具の点灯動作を説明するための図である。
【発明を実施するための形態】
【００１３】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。なお、各図において、実質的に同一の構成に対しては同一の符号を付しており、重複する説明は省略又は簡略化する。
【００１５】
（実施の形態１）
実施の形態１に係る照明器具１について、図１〜図４を用いて説明する。図１は、実施の形態１に係る照明器具１を用いて作業者Ｐが作業を行うときの様子を示す図である。図２は、同照明器具１の照明光の照射領域を示す図である。図３は、同照明器具１の構成を模式的に示す図である。図４は、同照明器具１の点灯動作を説明するための図である。
【００１６】
図１及び図２に示すように、照明器具１は、作業者Ｐが作業する作業面１００ａを照明する照明器具である。照明器具１は、照明光として、作業面１００ａに作業用照明光１０Ｌ及び刺激用照明光２０Ｌを照射する。
【００１７】
作業者Ｐは、照明器具１による照明環境下での作業として、例えば読書等の視作業を行う。具体的には、作業者Ｐは、椅子２００に座り、机１００の作業面１００ａに置かれ照明器具１により照射された書物３００を観察対象（視認対象物）として視認する。書物３００は、例えば、書籍（本、雑誌等）、新聞又は書類等の文字が記載された文字媒体である。書物３００は、紙による印刷物であってもよいし、電子書籍であってもよい。
【００１８】
作業面１００ａのサイズは、一例として、横の長さ（幅）Ｗ１が１０６０ｍｍで、奥行きの長さＤ１が６２０ｍｍである。また、書物３００のサイズは、一例としてＢ５サイズであり、横の長さＷ２が２５５ｍｍで、奥行きの長さＤ２が１８０ｍｍである。なお、作業者Ｐの視点位置（作業者Ｐの目の位置）から、視認対象物（作業者Ｐの視線の先）である書物３００までの距離である視距離ｄは、例えば、６００ｍｍ程度である。
【００１９】
図３に示すように、照明器具１は、作業面１００ａに作業用照明光１０Ｌを照射する第１光源部１０と、作業面１００ａに刺激用照明光２０Ｌを照射する第２光源部２０と、第１光源部１０及び第２光源部２０が配置される筐体３０とを備える。
【００２０】
作業用照明光１０Ｌは、作業者Ｐが作業を行う際に作業面１００ａ周辺を照らすタスク照明光又は作業者Ｐが存在する空間全体を照らすアンビエント照明光である。刺激用照明光２０Ｌは、作業者Ｐの視覚を刺激する照明光である。
【００２１】
第１光源部１０は、作業用照明光１０Ｌとして、例えば色温度が２６００Ｋ〜７１００Ｋで全光束が２５０ｌｍ〜２５００ｌｍの白色光を出射するＬＥＤ光源である。本実施の形態において、第１光源部１０を構成するＬＥＤ光源は、複数のＬＥＤ素子によって構成されているが、これに限らず、１つのＬＥＤ素子によって構成されていてもよい。
【００２２】
作業用照明光１０Ｌは、作業面１００ａにおいて所定の照度分布を有している。図２において、作業用照明光１０Ｌによって作業面１００ａに照射される照射領域（第１照射領域１０Ａ）は、大きい方の破線で囲まれる領域である。第１照射領域１０Ａの照度範囲は、例えば、直径６２０ｍｍ程度の円形又はこれと同程度の大きさの楕円形等である。なお、作業用照明光１０Ｌは輝度が均一な光であるとよい。つまり、第１照射領域１０Ａにおける作業用照明光１０Ｌの均斉度は高い方がよい。
【００２３】
第２光源部２０は、刺激用照明光２０Ｌとして、例えば色温度が２６００Ｋ〜７１００Ｋで全光束が２５ｌｍ〜２５０ｌｍの白色光を出射するＬＥＤ光源である。本実施の形態において、第２光源部２０を構成するＬＥＤ光源は、１つのＬＥＤ素子によって構成されているが、これに限らず、複数のＬＥＤ素子によって構成されていてもよい。
【００２４】
第２光源部２０は、図１及び図２に示すように、作業用照明光１０Ｌに重畳して作業面１００ａに刺激用照明光２０Ｌを照射する。つまり、刺激用照明光２０Ｌは、作業面１００ａにおいて、作業用照明光１０Ｌの照度分布よりも小さい所定の照度分布を有している。図２において、刺激用照明光２０Ｌによって作業面１００ａに照射される照射領域（第２照射領域２０Ａ）は、小さい方の破線で囲まれる領域である。第２照射領域２０Ａの照度範囲は、例えば直径３０ｍｍの円形又はこれと同程度の大きさの楕円形等である。なお、刺激用照明光２０Ｌも輝度が均一な光であるとよい。つまり、第２照射領域２０Ａにおける刺激用照明光２０Ｌの均斉度は高い方がよい。
【００２５】
このように、刺激用照明光２０Ｌによって照射された第２照射領域２０Ａは、作業用照明光１０Ｌによって照射された第１照射領域１０Ａに重畳し、かつ、第１照射領域１０Ａよりも小さい領域となっている。
【００２６】
また、第２光源部２０の刺激用照明光２０Ｌによる作業面１００ａでの第２照射領域２０Ａの照度（平均照度）は、第１光源部１０の作業用照明光１０Ｌによる作業面１００ａでの第１照射領域１０Ａの照度（平均照度）よりも低い方がよい。刺激用照明光２０Ｌによる第２照射領域２０Ａの平均照度は、例えば、２９ｌｘ〜１３５０ｌｘで、作業用照明光１０Ｌによる第１照射領域１０Ａの平均照度は、例えば、３００ｌｘ〜１５００ｌｘである。
【００２７】
なお、刺激用照明光２０Ｌによる第２照射領域２０Ａの平均照度と、作業用照明光１０Ｌによる第１照射領域１０Ａの平均照度との差は、２９ｌｘ〜３０００ｌｘであるとよい。また、第１照射領域１０Ａの照度は、第２照射領域２０Ａの照度の約１．１倍〜１．９倍であるとよい。
【００２８】
ここで、照明器具１の点灯動作について説明する。照明器具１をオンすると、第１光源部１０及び第２光源部２０が点灯する。この場合、第１光源部１０は常時点灯しているのに対して、第２光源部２０は一定間隔で点滅している。つまり、照明器具１の点灯状態では、図４（ａ）に示すように、第１光源部１０及び第２光源部２０の両方が点灯している第１の状態と、図４（ｂ）に示すように、第１光源部１０が点灯し、かつ、第２光源部２０が消灯している第２の状態とが、一定の時間間隔で繰り返される。
【００２９】
このように、第２光源部２０から出射する刺激用照明光２０Ｌは、一定の時間間隔で作業面１００ａに照射される。つまり、第２光源部２０は、一定の時間間隔で点滅している。第２光源部２０の点滅間隔は、例えば１５０ｍｓ〜３００ｍｓである。一例として、人が静止画像を見ているときの眼球運動の性質は、跳躍眼球運動（サッケード）が２０ｍｓ〜５０ｍｓで、固視又は停留が２５０ｍｓ〜数秒間であることを考慮すると、第２光源部２０は、２５０ｍｓ（４Ｈｚ）程度の間隔で点滅させるとよい。この場合、作業面１００ａには、２５０ｍｓ（４Ｈｚ）程度の間隔で刺激用照明光２０Ｌが点滅照射される。
【００３０】
なお、第１光源部１０及び第２光源部２０の点灯制御は、例えば、照明器具１に内蔵される制御部によって行われるが、これに限るものではない。
【００３１】
次に、照明器具１を用いて作業者Ｐが作業を行ったときの効果について、本発明に至った経緯も含めて説明する。
【００３２】
人が視作業として読書を行う場合、文章を幾つかのブロックに区分けし、そのブロックごとに順番に固視していく。具体的には、文章の最初のブロックを固視し、次いで、文章の次のブロックを固視していき、文章の最後のブロックまでこれを繰り返す。このときの固視→固視→固視に必要な目の動きがサッケードと停留である。つまり、人は、サッケードと停留という飛越運動の繰り返しによって読書を行っている。サッケードとは、視対象物に視線を向ける高速で一過性の眼球運動のことである。この眼球運動は、視対象物の像を網膜中心窩に捉えるように働く。
【００３３】
サッケードは人の年齢によって異なり、年齢が高いほど、サッケードの潜時が長くなる。具体的には、高齢者のサッケードの潜時（約２４０ｍｓ）は、若年齢者のサッケードの潜時（約１８０ｍｓ）の約１．３倍になる。このため、年齢が高くなるにつれて、サッケードの潜時が長くなって、文章が読みにくくなる。
【００３４】
本発明は、このような知見に基づいてなされたものであり、照明光の刺激によって加齢で長くなったサッケードの潜時を短くすることにより、加齢による視作業の低下を抑制するものである。つまり、本発明は、加齢による視作業の作業効率の低下を照明光で補助するものである。
【００３５】
具体的には、本実施の形態では、照明器具１を用いて、作業面１００ａにおいて作業用照明光１０Ｌが照射される第１照射領域１０Ａに重畳して第１照射領域１０Ａよりも小さい第２照射領域２０Ａで作業面１００ａに刺激用照明光２０Ｌを一定の時間間隔で照射している。
【００３６】
これにより、刺激用照明光２０Ｌによって作業者Ｐの目に時間的な刺激を付与することができるので、作業者Ｐのサッケードの潜時を短くすることができる。例えば、作業者Ｐが高齢者である場合、高齢者のサッケードの潜時を若年齢者のサッケードの潜時と同等のレベルにすることができる。この結果、高齢者であっても、若年齢者と同等の作業効率で視作業を行うことができる。
【００３７】
このように、作業用照明光１０Ｌによる第１照射領域１０Ａに刺激用照明光２０Ｌによる第２照射領域２０Ａを重畳させて、刺激用照明光２０Ｌを一定の時間間隔で照射することで、視対象物の見やすさが向上する。
【００３８】
ここで、刺激用照明光２０Ｌが照射される照射範囲（第２照射領域２０Ａ）と刺激用照明光２０Ｌによる光強度（照度レベル）とに関する適切な範囲について、以下説明する。なお、作業者Ｐが新聞等の書物３００を視作業を行う場合について説明する。
【００３９】
新聞等の書物の１文字は例えば８．６ｐｔ（約３ｍｍ）である。一般的に文章を読むときの作業者Ｐ（観察者）の知覚範囲は５文字〜９文字程度である。つまり、知覚範囲は、１５ｍｍ〜２７ｍｍ程度となる。したがって、刺激用照明光２０Ｌによる第２照射領域２０Ａは、上記知覚範囲を内包する範囲であればよい。なお、視距離ｄは、一例として、６００ｍｍであり、視角寸法は１７分である。
【００４０】
また、刺激用照明光２０Ｌによる第２照射領域２０Ａの照度レベルは、輝度対比弁別閾以上にするとよい。輝度対比弁別閾とは、ものが見えるか見えないかの閾を示した視認性に関する指標であり、図５において、Ｃｍｉｎの曲線で表される。図５は、指標の輝度に対する輝度対比を示している。
【００４１】
したがって、刺激用照明光２０Ｌによる第２照射領域２０Ａの照度レベルは、Ｃｍｉｎ以上であればよい。
【００４２】
ここで、コントラストＣと、図５の輝度対比弁別閾を示す曲線Ｃｍｉｎとは、以下の式で表される。
【００４３】
Ｃ＝｜Ｌｂ−Ｌｏ｜／Ｌｂ・・・（式１）
Ｃｍｉｎ＝０．０５９３６×（（１．６３９／Ｌｂ）×０．４＋１）×２．５・・・（式２）
【００４４】
なお、（式１）において、Ｌｏは、視対象輝度を示しており、本実施の形態では、作業用照明光１０Ｌによる輝度と刺激用照明光２０Ｌによる輝度との合計を表している。また、（式１）及び（式２）において、Ｌｂは、背景輝度（図５における指標の輝度）を示しており、本実施の形態では、作業用照明光１０Ｌによる輝度を表している。
【００４５】
上記の（式１）及び（式２）をもとに、刺激用照明光２０Ｌによる第２照射領域２０Ａに必要な最小照度（Ｅｍｉｎ）を算出し、この結果を表１に示す。表１に示すように、作業用照明光１０Ｌの第１照射領域１０Ａでの照度（Ｅｂ）が、３００ｌｘ、５００ｌｘ、７５０ｌｘ、１０００ｌｘ、１５００ｌｘの場合の各々について、刺激用照明光２０Ｌの第２照射領域２０Ａに必要な最小照度（Ｅｍｉｎ）を算出した。なお、紙面反射率（ρ）は０．８とし、Ｌｂ＝Ｅｂ×ρ／π、Ｌｏ＝Ｃ×Ｌｂ＋Ｌｂ、Ｅｏ＝Ｌｏ×π／ρとして算出した。
【００４６】
【表１】
2018032499.tif 000003
【００４７】
このように、刺激用照明光２０Ｌの最小の照度（Ｅｍｉｎ）は、作業用照明光１０Ｌの照度（Ｅｂ）から求めることができる。
【００４８】
そして、刺激用照明光２０Ｌの照度（Ｅｔ）は、刺激用照明光２０Ｌの最小の照度（Ｅｍｉｎ）以上にするとよい。つまり、Ｅｔ≧Ｅｍｉｎであるとよい。なお、Ｅｔは、Ｅｔ＝Ｅｏ−Ｅｂとして算出することができる。
【００４９】
以上のように、刺激用照明光２０Ｌの照度（Ｅｔ）をＥｔ≧Ｅｍｉｎにすることで、輝度対比弁別閾以上の光刺激を書物（視対象物）に照射することができる。これにより、作業者Ｐは網膜中心窩で文字を捉えやすくなるので、作業者Ｐによる視対象物の見やすさを向上させることができる。
【００５０】
また、図６に示すように、輝度対比弁別閾は年齢により変化する。図６は、年齢に対する輝度対比弁別閾の比率を示す図である。
【００５１】
したがって、刺激用照明光２０Ｌによる刺激は、作業者Ｐの年齢変化を加味するとよい。つまり、刺激用照明光２０Ｌの出力（輝度）は、作業者Ｐの年齢に応じて変更するとよい。具体的には、照明器具１に年齢を入力できる入力部を設けておき、入力部から入力された年齢に応じて刺激用照明光２０Ｌの最小の照度（Ｅｍｉｎ）を変更して、Ｅｔ≧Ｅｍｉｎで作業面１００ａに刺激用照明光２０Ｌが照射されるように第２光源部２０の出力を変更すればよい。例えば、入力部に「５５歳」と入力された場合、Ｅｔ≧１．５×Ｅｍｉｎとなるように第２光源部２０の出力を変更する。なお、入力部は、数字キーパッド又はタッチパネル等のユーザインターフェースである。また、このような制御は、例えば、照明器具１が内蔵する制御部によって行うことができる。
【００５２】
さらに、刺激用照明光２０Ｌの点滅間隔についても、年齢を加味して設定及び変更するとよい。例えば、人の停留点での視覚処理等にかかる時間は、若年齢者が約１８０ｍｓで、高齢者が約２４０ｍｓであるので、これらの時間を刺激用照明光２０Ｌの固定点灯間隔にすることができる。また、サッケードの開始から次の停留点に目が停留する時間が約３０ｍｓ程度かかることから、その時間内で文字の知覚範囲（約３０ｍｍ）よりも先の範囲が刺激用照明光２０Ｌの照射範囲（第２照射領域２０Ａ）となるように、第２光源部２０の出力を制御してもよい。
【００５３】
なお、「ＪＩＳ  Ｘ  ８３４１−１：２０１０」の「７．２．１２  点滅に反応する利用者」によれば、「テキスト，オブジェクト又はビデオスクリーンを点滅させる速度は，光感受性発作（光源性てんかん）を誘発しやすい周波数を避けることが望ましい。点滅の周波数に加えて，点滅の面積及び輝度も重要である。点滅刺激の輝度が強いほど，点滅の面積が大きいほど，感光反応（例えば発作，他の内容に対する注意不足）を起こす危険が大きくなる。」と記載されているが、本実施の形態における刺激用照明光２０Ｌの視角寸法は、１°（６０分）程度と超挟角であるので、刺激用照明光２０Ｌの点滅間隔によらず、光感受性発作を誘発することはないと考える。
【００５４】
以上説明したように、本実施の形態に係る照明器具１は、作業面１００ａに作業用照明光１０Ｌを照射する第１光源部１０と、作業用照明光１０Ｌに重畳して作業面１００ａに刺激用照明光２０Ｌを照射する第２光源部２０とを備えている。そして、刺激用照明光２０Ｌが照射される作業面１００ａにおける第２照射領域２０Ａは、作業用照明光１０Ｌが照射される作業面１００ａにおける第１照射領域１０Ａに重畳し、かつ、第１照射領域１０Ａよりも小さい領域である。また、刺激用照明光２０Ｌは、一定の時間間隔で作業面１００ａに照射されている。
【００５５】
このように、第１照射領域１０Ａに第２照射領域２０Ａが重畳するようにして一定の時間間隔で刺激用照明光２０Ｌが作業面１００ａに照射されることで、作業者Ｐのサッケードの働きを補償することができる。これにより、作業者Ｐによる視対象物の見やすさを向上させることができる。例えば、加齢により目の働きが低下した場合でも、低下した目の働きを刺激用照明光２０Ｌによって回復させることができるので文字の読みやすさが向上する。つまり、高齢者であっても若年齢者と同等に文字を読むことができる。
【００５６】
また、本実施の形態における照明器具１において、刺激用照明光２０Ｌの出力は、作業者Ｐの年齢に応じて変更されるとよい。
【００５７】
これにより、年齢に応じた適切な照度で刺激用照明光２０Ｌを作業面１００ａに照射することができる。したがって、作業者Ｐによる視対象物の見やすさを一層向上させることができる。
【００５８】
また、本発明は、照明器具１としてだけではなく、照明方法としても実現することができる。
【００５９】
具体的には、本実施の形態における照明方法は、作業者Ｐが作業する作業面１００ａを照明する照明方法であって、作業面１００ａにおいて作業用照明光１０Ｌが照射される第１照射領域１０Ａに重畳して第１照射領域１０Ａよりも小さい第２照射領域２０Ａで作業面１００ａに刺激用照明光２０Ｌを一定の時間間隔で照射するものである。
【００６０】
これにより、作業者Ｐのサッケードの働きを補償することができるので、作業者Ｐによる視対象物の見やすさを向上させることができる。
【００６１】
また、本実施の形態における照明方法において、刺激用照明光２０Ｌの出力を作業者Ｐの年齢に応じて変更するとよい。
【００６２】
これにより、年齢に応じた適切な照度で刺激用照明光２０Ｌを作業面１００ａに照射することができるので、作業者Ｐによる視対象物の見やすさをさらに向上させることができる。
【００６３】
（実施の形態２）
次に、実施の形態２に係る照明器具２について、図７及び図８を用いて説明する。図７は、実施の形態２に係る照明器具２の構成を模式的に示す図である。図８は、同照明器具２の点灯動作を説明するための図である。
【００６４】
図７に示すように、本実施の形態における照明器具２は、実施の形態１における照明器具１と同様に、作業面１００ａに作業用照明光１０Ｌを照射する第１光源部１０と、作業面１００ａに刺激用照明光２０Ｌを照射する第２光源部２０Ｘと、第１光源部１０及び第２光源部２０Ｘが配置される筐体３０とを備える。
【００６５】
本実施の形態における照明器具２では、第２光源部２０Ｘの構成が実施の形態１と異なり、本実施の形態では、第２光源部２０Ｘを構成するＬＥＤ光源が複数のＬＥＤ素子によって構成されている。第２光源部２０を構成する複数のＬＥＤ素子は、横方向に一列に並んでいる。そして、第２光源部２０Ｘは、第２光源部２０Ｘによって刺激用照明光２０Ｌが照射される第２照射領域２０Ａが第１照射領域１０Ａ内を移動するように制御される。
【００６６】
具体的には、照明器具２をオンすると、第１光源部１０及び第２光源部２０が点灯する。この場合、図８の（ａ）〜（ｃ）に示すように、第１光源部１０を構成する複数のＬＥＤ素子は全て常時点灯するのに対して、第２光源部２０を構成する複数のＬＥＤ素子は、左から右に向かって一つずつ順次点灯するとともに、点灯している一つのＬＥＤ素子は一定間隔で点滅している。
【００６７】
このように、上記実施の形態１における照明器具１では、第２光源部２０から照射される刺激用照明光２０Ｌの第２照射領域２０Ａの位置が第１照射領域１０Ａ内で固定されていたのに対して、本実施の形態における照明器具２では、第２光源部２０Ｘから照射される刺激用照明光２０Ｌの第２照射領域２０Ａの位置が第１照射領域１０Ａ内を移動する。
【００６８】
なお、本実施の形態では、書物３００が横書き（横読み）であると想定して、第２光源部２０を構成する複数のＬＥＤ素子を横方向に一列に配列して、各ＬＥＤ素子を左から右に向かって一つずつ順に点灯したが、これに限るものではなく、第２光源部２０を構成する複数のＬＥＤ素子の点灯方向は、文字を読む方向に合わせるとよい。具体的には、書物３００が縦書き（縦読み）である場合、第２光源部２０を構成する複数のＬＥＤ素子を縦方向に一列に配列して上から下に向かって一つずつ順に点灯するとよい。
【００６９】
以上、本実施の形態における照明器具２は、実施の形態１と同様に、作業面１００ａに作業用照明光１０Ｌを照射する第１光源部１０と、作業用照明光１０Ｌに重畳して作業面１００ａに刺激用照明光２０Ｌを照射する第２光源部２０Ｘとを備えている。そして、刺激用照明光２０Ｌが照射される作業面１００ａにおける第２照射領域２０Ａは、作業用照明光１０Ｌが照射される作業面１００ａにおける第１照射領域１０Ａに重畳し、かつ、第１照射領域１０Ａよりも小さい領域である。また、刺激用照明光２０Ｌは、一定の時間間隔で作業面１００ａに照射されている。
【００７０】
これにより、実施の形態１と同様に、作業者Ｐによる視対象物の見やすさを向上させることができる。
【００７１】
また、本実施の形態における照明器具２では、第２照射領域２０Ａが第１照射領域１０Ａ内を移動する。
【００７２】
これにより、作業者Ｐによる視対象物の見やすさを一層向上させることができる。
【００７３】
また、本発明は、照明器具２としてだけではなく、照明方法としても実現することができる。
【００７４】
具体的には、本実施の形態における照明方法は、実施の形態１と同様に、作業者Ｐが作業する作業面１００ａを照明する照明方法であって、作業面１００ａにおいて作業用照明光１０Ｌが照射される第１照射領域１０Ａに重畳して第１照射領域１０Ａよりも小さい第２照射領域２０Ａで作業面１００ａに刺激用照明光２０Ｌを一定の時間間隔で照射するものである。
【００７５】
これにより、作業者Ｐによる視対象物の見やすさを向上させることができる。
【００７６】
また、本実施の形態における照明方法では、第２照射領域２０Ａを第１照射領域１０Ａ内で移動させている。
【００７７】
これにより、作業者Ｐによる視対象物の見やすさを一層向上させることができる。
【００７８】
（変形例）
以上、本発明に係る照明器具及び照明方法について、実施の形態に基づいて説明したが、本発明は、上記実施の形態に限定されるものではない。
【００７９】
例えば、上記実施の形態１、２において、照明器具１、２は、例えば壁等の造営材に常設されたものとしたが、これに限るものではなく、スタンドライト等のように移動可能なものであってもよい。
【００８０】
また、上記実施の形態１、２において、第１光源部１０及び第２光源部２０、２０Ｘは、ＬＥＤ光源としたが、これに限るものではない。例えば、第１光源部１０及び第２光源部２０、２０Ｘの光源は、蛍光灯等の既存ランプであってもよい。
【００８１】
また、上記実施の形態１、２において、第２光源部２０、２０Ｘが点灯と消灯とを繰り返すように制御したが、これに限るものではない。例えば、第２光源部２０、２０Ｘを消灯させることなく、点灯時の出力（輝度）を一定の時間間隔で変化させてもよい。つまり、第２光源部２０、２０Ｘが第１出力値と第２出力値（第１出力値とは異なる値）とを周期的に繰り返すように制御することで刺激用照明光２０Ｌに明暗差をつけてもよい。
【００８２】
また、上記実施の形態１、２において、第１光源部１０の作業用照明光１０Ｌによる第１照射領域１０Ａ及び第２光源部２０の刺激用照明光２０Ｌによる第２照射領域２０Ａの範囲は、照明器具１、２に内蔵された光学部材によって適宜調整することが可能である。例えば、光学部材としてレンズを用いて作業用照明光１０Ｌ及び刺激用照明光２０Ｌの配光角を制御することで、第１照射領域１０Ａ及び第２照射領域２０Ａを調整することができる。
【００８３】
その他、上記実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【００８４】
また、上記の説明において、照明器具に内蔵された制御部は、例えば回路等である。この回路は、汎用的な回路でもよいし、専用の回路でもよい。
【００８５】
また、上記の説明において、制御部等の照明器具１、２の動作として説明した処理は、コンピュータが実行してもよい。例えば、コンピュータが、プロセッサ（ＣＰＵ）、メモリ及び入出力回路等のハードウェア資源を用いてプログラムを実行することによって、上記の各処理を実行する。具体的には、プロセッサが処理対象のデータをメモリ又は入出力回路等から取得してデータを演算したり、演算結果をメモリ又は入出力回路等に出力したりすることによって、各処理を実行する。
【００８６】
また、上記の各処理を実行するためのプログラムが、コンピュータ読み取り可能なＣＤ−ＲＯＭ等の非一時的な記録媒体に記録されてもよい。この場合、コンピュータが、非一時的な記録媒体からプログラムを読み出して、プログラムを実行することにより、各処理を実行する。例えば、上記照明方法をコンピュータに実行させるプログラムとして実現したり、そのようなプログラムを記録したコンピュータ読み取り可能な記録媒体として実現したりすることもできる。
【符号の説明】
【００８７】
１、２  照明器具
１０  第１光源部
１０Ａ  第１照射領域
１０Ｌ  作業用照明光
２０、２０Ｘ  第２光源部
２０Ａ  第２照射領域
２０Ｌ  刺激用照明光
１００ａ  作業面
【図１】
2018032499.tif 000004
【図２】
2018032499.tif 000005
【図３】
2018032499.tif 000006
【図４】
2018032499.tif 000007
【図５】
2018032499.tif 000008
【図６】
2018032499.tif 000009
【図７】
2018032499.tif 000010
【図８】
2018032499.tif 000011